(57)【要約】【課題】道幅の狭い市街地のや泥濘地等の悪路しか進入路のない災害地でも迅速に、かつ、近接できるよう、より機動性に優れるように改善された排水設備移動方法を実現させる。【解決手段】可搬式排水ポンプと排水ポンプの制御盤とを内装する排水ポンプパッケージ１を被牽引車２に搭載して成る排水ポンプシステムＡと、発電機３０を小型トラック３１に搭載して成る移動可能な発電機Ｂとを用意し、排水ポンプシステムＡをその保管場所から現場に移動走行させるポンプ移動工程と、発電機３０をその保管場所から現場に移動走行させる発電機移動工程と、制御盤１２と発電機３０とを配線ｈで繋ぐ導通接続が可能となるように、現場に移動されてきた排水ポンプシステムＡと現場に移動されてきた発電機３０とを相対接近移動させる近寄せ工程と、を有する排水方法。【選択図】図５
2008240685.tif 000002
【特許請求の範囲】
【請求項１】
可搬式排水ポンプと、前記可搬式排水ポンプに接続可能な排水ホースと、前記可搬式排水ポンプの駆動制御を行う制御手段と、これら可搬式排水ポンプと排水ホースと制御手段とを収容可能な排水ポンプパッケージとを備えるポンプセットと、
前記ポンプセットを移動走行可能とする移動手段とを備えて成る排水ポンプシステム。
【請求項２】
前記移動手段が、前記ポンプセットが搭載される被牽引車両である請求項１に記載の排水ポンプシステム。
【請求項３】
請求項１又は２に記載の排水ポンプシステムと、移動可能な発電機とを用意し、前記排水ポンプシステムを現場に移動走行させるポンプ移動工程と、前記発電機を現場に移動させる発電機移動工程と、前記制御手段と前記発電機との導通接続が可能となるように、現場において排水ポンプシステムと発電機とを相対接近移動させる近寄せ工程と、を有する排水方法。
【請求項４】
請求項２に記載の排水ポンプシステムと、移動可能な発電機とを用意し、前記排水ポンプシステムを自動車で牽引することで現場に移動走行させるポンプ移動工程と、前記発電機を現場に移動させる発電機移動工程と、前記制御手段と前記発電機との導通接続が可能となるように、現場において排水ポンプシステムと発電機とを相対接近移動させる近寄せ工程と、を有する排水方法。
【請求項５】
前記発電機移動工程が、前記発電機が搭載された自走車両を用いて行う請求項３又は４に記載の排水方法。
【発明の詳細な説明】
【技術分野】
【０００１】
本発明は、例えば洪水時の内水排除、道路のアンダーパス冠水時や田畑冠水時の排水、或いは渇水時の田畑への灌漑給水といった非常時において好適に使用できる排水ポンプシステム及びそれを用いた排水方法に関するものである。
【背景技術】
【０００２】
上述したような災害等の非常時における排水においては、排水が必要となる場所が予め特定できないため、持ち運びできる可搬式の排水ポンプを用いることになる。一例として、特許文献１（特に図６を参照）において開示されるものが知られている。これは、モータが内臓された横軸型の排水ポンプ（水中ポンプ）と、これの長手方向における吐出口に連結される排水ホースと、排水ポンプを水中に浮かすためのフロートとを有して構成される。水中ポンプは、それに着脱自在に装備されるフロートによって水中に吊り下げ支持されて駆動される。
【０００３】
このような可搬式の排水ポンプは、通常、ポンプ駆動用電源としての発電機と対をなして成る排水ポンプ設備として用いられるものである。即ち、前述の特許文献１（図１や図２を参照）や特許文献２において開示されるように、排水ポンプ、排水ホース、制御盤等が収納ボックスに収められて成る排水ポンプパッケージと、排水ポンプのモータに電力供給すべく制御盤に接続されるエンジン駆動式の発電機とをトラックの荷台に並べて搭載することにより、移動可能な排水ポンプ設備として構成される。このような排水ポンプ設備は、洪水等の必要時に現場に運び込まれて使用される。
【０００４】
上述の可搬式排水ポンプを用いた排水作業は、次のようになる。まず、排水ポンプパッケージと発電機とが搭載されたトラックを移動走行させて現場に移送させる。そして、収納ボックスの扉を開けて、収容されている可搬式排水ポンプ、排水ホース、フロート等を取り出すとともに組付けて排水ポンプ装置を構築するとともに、可搬式排水ポンプの配線を収納ボックスに備え付けの電源取出し部に接続する（制御盤と発電機とは配線された状態になっている）。次いで、排水ホースを延ばして所定の排水場所に排出口を配置し、かつ、可搬式排水ポンプを被排水箇所の水中に投与し、それから電源スイッチを入れてポンプ駆動させる。
【０００５】
つまり、特許文献１の図６に示されるように、排水ポンプパッケージと発電機とが単一の荷台に搭載されているトラックを走らせることにより、迅速に洪水災害地等の現場に急行できて素早く排水作業を開始できる有用なものである。
【特許文献１】特開２００３−００３９８５号公報
【特許文献２】特開２００１−１０５９６１号公報
【発明の開示】
【発明が解決しようとする課題】
【０００６】
しかしながら、災害地の交通アクセスが比較的良い場合は問題ないが、旧市街地や山奥の湖沼等では道が狭いとか急な曲がりがある等で近付き難い問題があり、また、未舗装林道や山岳道路等、道路状況の悪い箇所でも近付き難いという問題があるため、場所によっては排水作業が難航することがあった。また、過疎村や山村等、地域によっては、排水ポンプパッケージとそれ用の発電機を対で揃えるだけの経済的余裕が無い場合があり、排水を必要とする災害のおそれがあってもそれに対する備えがままならないという問題もあった。
【０００７】
本発明の目的は、前記実情に鑑みて、道幅の狭い市街地や悪路しか進入路のない河川や湖沼等の現場でも迅速に排水作業ができるよう、より機動性に優れるように改善された排水方法を実現させる点にある。また、山村や過疎地等の財政的に余裕のない地域でも配備できるよう、従来に比べて廉価なものとなる移動可能な排水ポンプシステムを実現可能にさせる点も目的とする。
【課題を解決するための手段】
【０００８】
請求項１に係る発明は、排水ポンプシステムにおいて、可搬式排水ポンプＰと、前記可搬式排水ポンプＰに接続可能な排水ホース４と、前記可搬式排水ポンプの駆動制御を行う制御手段１２と、これら可搬式排水ポンプＰと排水ホース４と制御手段１２とを収容可能な排水ポンプパッケージとを備えるポンプセットＰＳと、前記ポンプセットＰＳを移動走行可能とする移動手段２とを備えて成ることを特徴とするものである。
【０００９】
請求項２に係る発明は、請求項１に記載の排水ポンプシステムにおいて、前記移動手段２が、前記ポンプセットＰＳが搭載される被牽引車両であることを特徴とするものである。
【００１０】
請求項３に係る発明は、排水方法において、請求項１又は２に記載の排水ポンプシステムＡと、移動可能な発電機３０とを用意し、前記排水ポンプシステムＡを現場に移動走行させるポンプ移動工程ａと、前記発電機３０を現場に移動させる発電機移動工程ｂと、前記制御手段１２と前記発電機３０との導通接続が可能となるように、現場において排水ポンプシステムＡと発電機３０とを相対接近移動させる近寄せ工程ｃと、を有することを特徴とするものである。
【００１１】
請求項４に係る発明は、排水方法において、請求項２に記載の排水ポンプシステムＡと、移動可能な発電機３０とを用意し、前記排水ポンプシステムＡを自動車２９で牽引することで現場に移動走行させるポンプ移動工程ａと、前記発電機３０を現場に移動させる発電機移動工程ｂと、前記制御手段１２と前記発電機３０との導通接続が可能となるように、現場において排水ポンプシステムＡと発電機３０とを相対接近移動させる近寄せ工程ｃと、を有することを特徴とするものである。
【００１２】
請求項５に係る発明は、請求項３又は４に記載の排水方法において、前記発電機移動工程ｂが、前記発電機３０が搭載された自走車両３１を用いて行うことを特徴とするものである。
【発明の効果】
【００１３】
請求項１の発明によれば、可搬式排水ポンプを用いて排水作業を行うに最低限度必要となるもの、即ち、可搬式排水ポンプと排水ホースと制御手段とこれら三者を収容可能なポンプパッケージとから成るポンプセットを、移動手段で移動可能なものとしてあるから、洪水や河川氾濫等の災害時にポンプセットを災害現場に移動させることが可能である。しかも、専用の発電機を持たない構成であるから、排水作業に要する設備費が廉価に構成できるものであるとともに、発電機と排水ポンプパッケージとの双方を搭載する従来のトラックに比べて、軽トラックや小型貨物自動車といったより小型の自走車両を用いて移動させることが可能であり、従来では近づけないような幅の狭い道路や悪路といったアクセス条件の悪い現場でもポンプセットを配置することが可能になる。この場合、実際に排水作動させるには、排水ポンプを駆動させたり駆動状況の制御を行ったりするための電力源である発電機も必要になるが、これに対しては次のように対処させることが可能である。
【００１４】
即ち、可搬式排水ポンプや制御手段は、一般的な発電機による電力によって駆動又は制御できるように作られているので、例えば、道路工事用、土木工事用、或いは建設工事用の発電機等の汎用発電機を用いることが可能である。このような汎用発電機は、市区町村や山村等、全国の至る所に配備されているので、災害時には、その近くの建設業者の倉庫や除雪機具用車庫、自治会の倉庫、或いは工事現場等に配備されている汎用発電機を現場に移動させることが可能であり、その電源を用いて排水作業を行うことができるのである。前述したポンプセットと同様に、発電機のみ運ぶ移動手段もアクセス条件の悪い現場に対応させることが可能である。
【００１５】
その結果、排水作業用の電力を汎用発電機で賄えることの認識により、道幅の狭い市街地の中や悪路しか進入路のない河川や湖沼等の現場でも迅速に、かつ、近接できるよう、より機動性に優れるように改善されるとともに、山村や過疎地等の財政的に余裕のない地域でも配備できるよう、従来に比べて廉価な排水ポンプシステムを実現して提供することができる。
【００１６】
請求項２の発明によれば、被牽引車を引張って牽引する牽引車が別に必要にはなるが、牽引車には被牽引車を牽引するための器具（牽引ヒッチ）さえ装備しておけば良いので、手持ちの自動車や軽トラック、或いは自治会所有のバンやトラクタといった既存の自走車両を用いることが可能になる。従って、例えば排水ポンプパッケージをトラックの荷台に常備させた専用の移動車を用意するといった手段に比べて、設備コストを抑えることができて経済性に優れるものとなる利点が得られる。また、専用の牽引車を設けたとしても、必要時以外は牽引車を単独で使用することが可能であり、この場合には使い勝手の良い排水ポンプシステムになる。
【００１７】
請求項３の発明は、ポンプセットと発電機とを各別に排水対象となる現場に移動させ、その現場でポンプセットと発電機とを合体（導通接続）させることにより、排水作業に必要となる排水ポンプ設備を現場に移動させて排水を行う方法である。詳しくは実施例において説明するが、排水ポンプパッケージと発電機とを一緒にトラックに積んで運ぶ方法に比べて、道幅の狭い市街地や進入路が悪路しかない河川や湖沼でも迅速に、かつ、現場に接近できるように、より機動性に優れる改善された排水方法を実現させることができている。
【００１８】
請求項４の発明によれば、請求項３の発明による前記効果を有するとともに、次のような効果も奏することができる。即ち、ポンプセットが搭載される被牽引車以外に自動車が必要になるが、必要時以外は牽引装置を外して自動車を単独で使用することが可能であるから、例えばポンプセットをトラックの荷台に常備させた専用のポンプセット移動車を用意してポンプ移動工程を行う方法に比べて、必要な機能を落とすことなく使い勝手や利便性に優れる排水方法を提供することができる。
【００１９】
請求項５の発明によれば、自走車両に発電機を搭載した専用の移動手段を用いて発電機移動工程を行うものであり、専用の自走車両は必要にはなるが、道路工事用や建設現場用の電源等、発電機は排水ポンプ以外の種々の機器に使用できる汎用性の高いものとなっている。従って、排水作業以外にも使える点で減価償却を小さく抑えることが可能であり、結果的には経済的により機動性に優れる排水方法の提供が可能になる。
【発明を実施するための最良の形態】
【００２０】
以下に、本発明による排水ポンプシステム及び排水方法の実施の形態を、図面を参照しながら説明する。図１は排水ポンプシステムを示す図で、図２は排水ポンプパッケージの内部を示す図である。図３は移動可能な発電機の一例を示す図で、図４は排水ポンプシステムを自動車で牽引している例を示す図であり、図５，６は排水作業状態を示す概略全体図と排水ポンプ装置の使用状況を示す図である。また、図７は排水方法を示すフローチャートである。
【００２１】
〔実施例１〕
図１に示すように排水ポンプシステムＡは、排水ポンプパッケージ１から成るポンプセットＰＳと、排水ポンプパッケージ１が搭載される被牽引車（移動手段の一例）２とで構成されている。そして、図２にはパッケージの中身が示されている。
【００２２】
排水ポンプパッケージ１は、図１，図２に示すように、箱本体１Ｈの一方側端部に構成される制御手段を収容した制御部１Ｓ（図１参照）と、他方側に構成される収納部１Ａとを有した箱状体で成り、下端の３箇所に脚部材１３が取り付けられている。制御部１Ｓは、縦向きの制御盤（「可搬式排水ポンプの駆動制御を行う制御手段」の一例）１２とそれを収容する前後の第１扉１０，１１と、それらの下方に配備される各種受電給電端子１４，１５，１６等を有して構成されている。
【００２３】
収納部１Ａは、前後の第２扉１８，１９を開いた内部空間であって、図２に示すように、下段に搭載される一対の水中ポンプで成る可搬式排水ポンプＰ，Ｐ、各可搬式排水ポンプＰ，Ｐ毎に接続される一対のケーブル（配線）３，３、中段に搭載される４組の排水ホース４、上段に搭載される一対の投光器５，５、工具箱６、及びロープ等のその他の機材７が収容されている。そして、排水ポンプパッケージ１の前壁１ａと後壁１ｂのそれぞれから突設されるフック８，８のそれぞれには、ドーナツ状のフロート９が引掛け支持されている。尚、図２では可搬式排水ポンプＰを２台収納する例を示したが、これに限定されるものではなく１台であっても３台以上の複数台であっても良い。
【００２４】
被牽引車２は、載置板２０を上端に有する枠体２１と、枠体２１の前端に形成される被牽引ヒッチ２２と、枠体の後部左右のそれぞれに配置されるタイヤ（走行輪）２３を有して構成されている。タイヤ２３の上部を覆うフェンダー２４や、被牽引車２の自立を可能するための自立脚２５も装備されている。自立脚２５は、先端に転動輪２６ａが枢支され、かつ、基端の支点Ｘで下方に下ろした作用位置と上方の格納位置とに亘って揺動自在なアーム部２６を設けて構成されている。
【００２５】
排水ポンプパッケージ１（ポンプセットＰＳ）を被牽引車２に搭載して成る排水ポンプシステムＡは、例えば、図４に示すように、後部に牽引ヒッチ２８が一体装備されている一般的な自動車（ＲＶ車、ＳＵＶ車、バン等）２９で牽引することにより、倉庫２７等の保管場所から出して所望の場所に迅速に移動させることができる。
【００２６】
移動走行可能な発電機Ｂについて説明する。発電機３０を搭載して移動走行可能な発電機Ｂは、例えば、図３に示すように、小型自家用トラック３１の荷台３２に発電機３０を搭載しておく手段が採られる。排水ポンプＰを駆動すべく前記制御盤１２に電力供給するための発電機３０は、ディーゼルエンジン等を駆動源とする一般的な発電機で良く、公知のものにつき、ここでの詳細な説明は割愛する。尚、図示は省略するが、発電機を載せた被牽引車を用意しておき、その発電機が搭載されている被牽引車を自動車やトラック等の牽引車で引張って移動させる手段（図４に示す形態）も可能である。尚、「移動走行可能な発電機Ｂ」とは、発電機３０が移動走行可能に構成されたものである。
【００２７】
次に、本発明による排水ポンプシステムＡ及び移動走行可能な発電機Ｂによる排水作業について説明する。一例として、図５に洪水時における内水排除を示す。排水対象河川Ｍの土手道路Ｄに、ＲＶ自動車２９で牽引されてきた排水ポンプシステムＡを、被牽引車２の自立脚２５を作用位置にして横付けするとともに、その排水ポンプシステムＡの後部に対して荷台３２の後部が位置する背中合せ状態となるように、小型自家用トラック３１をバックさせて位置させ、排水作業に適した配置状態としてある。尚、被牽引車２を牽引ヒッチ２８に装着したままで排水作業させても良い。
【００２８】
可搬式排水ポンプＰは、図５，図６に示すように、支持脚３５，３６、フロート取付用の支持アーム３４、及び内蔵されるモータ（図示省略）に接続されるケーブル３等を有しており、現場にて下向きの吸入口３３ａや支え脚３３ｂを備えた屈曲形状の吸入カバー３３、排水ホース４、フロート９を現場にて組付けて排水ポンプ装置１７が構築される。そして、水中に投与することにより、図６に示すように、フロート９によって水中に浮かぶ状態で使用される。排水ホース４の排出口４ａは、順調河川等の所定の排出場所Ｎに配策されるようになる。図６において、Ｗは水面、Ｇは水底である。尚、図６では支持アーム３４でフロート９と可搬式排水ポンプＰとを連結した例を示したが、ワイヤーやチェーンで結合しても良い。また、吸入カバー３３の形状や吸入口３３ａの位置はこれに限定されるものではない。
【００２９】
さて、排水ポンプシステムＡと移動可能な発電機Ｂとを用いて排水作業を行うまでの排水方法は、図７に示すように、ポンプ移動工程ａ、発電機移動工程ｂ、近寄せ工程ｃ、排水作業準備工程ｄ、排水作業工程ｅとを有して成っている。ポンプ移動工程ａは、排水ポンプシステムＡをその保管場所（倉庫２７等）等から現場に移動走行させる工程であり、発電機移動工程ｂは、可搬式発電機Ｂをその保管場所（車庫等）等から現場に移動走行させる工程である。これらポンプ移動工程ａと発電機移動工程ｂとは同時に行われても、何れか一方の工程が先に開始されても良く、要は各別に現場に移動させることができる点に特徴を有する。尚、土木建築用等の汎用発電機を用いる場合は、発電機移動工程ｂは、汎用発電機を工事現場から災害現場に移動させるものとなる。
【００３０】
近寄せ工程ｃは、制御盤１２と発電機３０との導通接続が可能となるように、現場において排水ポンプシステムＡと移動可能な発電機Ｂとを相対接近移動させる工程である。近寄せ工程ｃの例としては、図５に示すように、土手道路Ｄにおいて小型貨物自動車３１を（移動可能な発電機Ｂ）バックさせて、土手道路Ｄに載置されている排水ポンプシステムＡに接近させる方法がある。また、ＲＶ自動車２９をバックさせることで、土手道路Ｄに駐車されている小型貨物自動車３１に被牽引車２を接近させる方法も可能である。また、道幅が広い場合には、ＲＶ自動車２９で牽引される排水ポンプシステムＡと小型貨物自動車３１とを同方向に並べて駐車させる方法も可能である。これらの近寄せ工程ｃは、発電機移動工程ｂ（又はポンプ移動工程ａ）の最後において行われることになることが殆どであるから、発電機移動工程ｂやポンプ移動工程ａに含まれたものとして考えても良い。
【００３１】
排水作業準備工程ｄは、近寄せ工程ｃの終了後に、排水ポンプパッケージ１の制御盤１２と発電機３０との配線ｈを用いての導通接続操作（具体的には、排水ポンプパッケージ１に装備された受電端子１６と発電機３０の正面に装備された給電端子３０ａとを配線ｈで繋ぐ操作）、可搬式排水ポンプＰに排水ホース４やフロート９等を装着して排水ポンプ装置１７を構築するポンプ組付操作、及び組み付けられた排水ポンプ装置１７を排水対象場所に設置するとともに、排水ホース４を延ばしてその排出口４ａを所定の排出場所Ｎに配策する設置操作を行う工程である。排水作業工程ｅは、発電機３０を発電可能状態に起動させる発電開始操作（内蔵されているエンジンを起動させる操作）を行い、かつ、この発電開始操作の後において制御盤１２等に配置されている起動スイッチ（図示省略）を入り操作して可搬式排水ポンプＰを駆動させる工程である。
【００３２】
尚、排水ポンプシステムＡのみしか用意されていない町村等においては、道路工事や建設現場等で用いられる汎用発電機を用いて排水作業を行うことが可能である。即ち、排水ポンプパッケージ１の制御盤１２は、専用の発電機３０でもその他の汎用発電機でも受電できるものに構成されており、専用の発電機３０が無い場合には、その近辺にある工事用の汎用発電機を用いて排水ポンプＰを駆動させることができるからである。このような場合の発電設備移動方法は、その発電機移動工程ｂが専用の発電機３０ではなく、汎用発電機を用いる工程として成る。このように、排水ポンプシステムＡさえ用意しておけば、多くの場合、災害時にはその近辺に存在する汎用発電機を現場に移動させることで排水作業を行うことが可能になる。
【００３３】
排水ポンプパッケージ１と発電機３０との双方を搭載したトラックを用いる従来の排水方法では、本発明における近寄せ工程ｃから後の工程においては、制御盤１２と発電機３０とを配線ｈで導通させる操作が省略される以外は、本発明による排水方法と同じである。「配線ｈで導通させる操作」は、排水ポンプ装置１７の組付け最中に、別の作業者が完了できる簡単な作業であるから、排水ポンプパッケージ１（ポンプセットＰＳ）と発電機３０とを別々に現場に運ぶ方法を採っても、現場における準備作業時間に関しては、本発明による方法でも従来技術による方法でも殆ど差が無いと言える。故に、排水ポンプパッケージ１と発電機３０とを別々に移動させる本発明による排水方法を採用すれば、設備コストのダウンを可能としながらも機動性が増して従来よりも素早く排水作業を開始可能になるとともに、従来では到達不可能な場所でも行くことが可能となってアクセス性能にも優れるものとなる。
【００３４】
〔別実施例〕
排水ポンプシステムＡとしては、図３に括弧書きの符号で示すように、小型貨物自動車３１の荷台３２に排水ポンプパッケージ１を搭載する構成としても良い。また、ポンプ移動工程ａが、ポンプセットＰＳが搭載された自走車両３１を用いて行うことを特徴とするものでも良い。この場合では、小型貨物自動車３１は排水ポンプパッケージ１（ポンプセットＰＳ）を移動するための専用のものとなるが、被牽引車２を牽引して走行する場合に比べて運転し易く、機動性がより改善されるという利点はある。尚、その他の排水ポンプシステムＡとしては、排水ポンプパッケージ１に直接走行車輪２３，２３と被牽引ヒッチ２２とを設けた構成や、排水ポンプパッケージをなすパネルボックスを自動車（小型トラック等）の後部に一体形成する構成等、種々の手段が可能である。
【００３５】
移動可能な発電機Ｂは、図４に示されるように、発電機が搭載された被牽引車をトラック、自家用自動車、トラクタ等の自走車両で牽引させる構成や、発電機と被牽引車とが一体化された専用の構造でも良い。また、トラック、運搬車（作業車）等の自走車両に発電機を一体的に装備させてある構成でも良い。
【００３６】
実施例１においては、可搬式排水ポンプＰ等を収容した状態の排水ポンプパッケージ１と、それに吊設されるフロート９とからポンプセットＰＳが構成されている。本明細書においては、排水ポンプパッケージとは、排水ホース等を収容する箱状体であるパッケージのみを指す場合と、可搬式排水ポンプ等の排水用機器がパッケージに収容された状態での全体を指す場合とがあり、その前後の文章を含む文意からいずれかの場合が定まるものである。
【図面の簡単な説明】
【００３７】
【図１】排水ポンプシステムの側面図
【図２】開閉扉を開いて内容物を示す排水ポンプパッケージの斜視図
【図３】ポンプ移動工程の一態様を示す作用図
【図４】発電機移動工程の一態様を示す作用図
【図５】現場での排水作業状況を示す概略図
【図６】排水ポンプ装置としての使用状況例を示す作用図
【図７】排水方法を示すフロー図
【符号の説明】
【００３８】
１          排水ポンプパッケージ
２          移動手段（被牽引車両）
４          排水ホース
１２        制御手段
３０        発電機
２９        自動車
３１        自走車両
Ａ          排水ポンプシステム
Ｂ          移動可能な発電機
Ｐ          可搬式排水ポンプ
ＰＳ        ポンプセット
ａ          ポンプ移動工程
ｂ          発電機移動工程
ｃ          近寄せ工程
【図１】
2008240685.tif 000003
【図２】
2008240685.tif 000004
【図３】
2008240685.tif 000005
【図４】
2008240685.tif 000006
【図５】
2008240685.tif 000007
【図６】
2008240685.tif 000008
【図７】
2008240685.tif 000009